(57)【要約】【課題】電波により伝送された画像を表示する機能が付いた端末において、表示画像が正立するようにユーザが端末を保持する角度を適宜変えて使用する場合に、従来のアンテナ素子を単独で用い、端末装置に固定して設置しても極端な感度低下が生じない無線携帯端末を提供する。【解決手段】端末の画像表示部を縦にした状態(以下、第1の状態)、画像表示部を横にした状態(以下、第2の状態)、および、第1の状態と第2の状態の間の過渡的な状態において、アンテナの最低感度方向が電波の到来方向と平行にならないように、アンテナを端末に固定して設置する。【選択図】図１
2005286965.tif 000002
【特許請求の範囲】
【請求項１】
画像表示機能付き無線携帯端末において、電波を受信するアンテナと、該アンテナから得た高周波信号から画像信号を再生する画像再生手段と、該画像信号を表示する画像表示手段と、前記アンテナと前記画像表示手段を直接的あるいは間接的に固定して設置する筐体を備え、表示された画像が正立するように前記筐体を保持した状態で、前記電波が通常到来すると想定される方向(以下、電波の到来方向)と前記アンテナの最低感度方向が平行にならない角度でアンテナを筐体に設置したことを特徴とする、画像表示機能付き無線携帯端末。
【請求項２】
前記画像表示手段に再生画像を表示する際の角度を変更する表示角度変更手段を備え、第1の表示角度で表示された画像が正立するように前記筐体を保持した状態(以下、第1の状態)と、第2の表示角度で表示された画像が正立するように前記筐体を保持した状態(以下、第2の状態)の両方で、前記電波の到来方向と前記アンテナの最低感度方向が平行にならない角度でアンテナを筐体に設置したことを特徴とする、請求項1記載の画像表示機能付き無線携帯端末。
【請求項３】
前記画像表示手段が矩形であり、前記第1の表示角度とは前記画像表示手段の短辺が水平かつ長辺が鉛直になったときに画像が正立するように表示した角度であり、前記第2の表示角度とは前記画像表示手段の短辺が鉛直かつ長辺が水平になったときに画像が正立するように表示した角度であることを特徴とする、請求項2記載の画像表示機能付き無線携帯端末。
【請求項４】
前記第1の状態と前記第2の状態の間を最短で遷移する過渡的状態において、前記電波の到来方向と前記アンテナの最低感度方向が平行にならない角度でアンテナを筐体に設置したことを特徴とする、請求項2記載の画像表示機能付き無線携帯端末。
【請求項５】
前記電波の到来方向とは、略水平方向であることを特徴とする、請求項1記載の画像表示機能付き無線携帯端末。
【請求項６】
前記筐体は、第1のパネルと、第2のパネルと、前記各パネルを可動的に接合する接合手段を有し、第1の画像表示手段を前記第1のパネルの表面に設置し、第2の画像表示手段を前記第1のパネルの裏面に設置し、前記アンテナを前記第2のパネルに設置したことを特徴とする、請求項1記載の画像表示機能付き無線携帯端末。
【請求項７】
前記筐体は、第1のパネルと、第2のパネルと、前記各パネルを可動的に接合する接合手段を有し、第1の前記画像表示手段を前記第1のパネルの表面に設置し、第2の前記画像表示手段を前記第1のパネルの裏面に設置し、前記アンテナを前記第1のパネルに設置したことを特徴とする、請求項1記載の画像表示機能付き無線携帯端末。
【請求項８】
前記第1の画像表示手段に画像を表示する第3の表示角度と、前記第2の画像表示手段に画像を表示する第4の表示角度は、互いに倒立(上下逆)の関係であることを特徴とする、請求項6乃至7記載の画像表示機能付き無線携帯端末。
【請求項９】
前記第1の画像表示手段に画像を表示する第3の表示角度と、前記第2の画像表示手段に画像を表示する第4の表示角度は、互いに正立(上下が同じ)の関係であることを特徴とする、請求項6乃至7記載の画像表示機能付き無線携帯端末。
【請求項１０】
前記アンテナの最低感度方向が筐体の外形の輪郭線と略平行となるように設置し、前記画像表示部の輪郭線が筐体の外形の輪郭線と斜めの関係になるように設置したことを特徴とする、請求項1記載の画像表示機能付き無線携帯端末。
【請求項１１】
電波を受信するアンテナと、
該アンテナから得た信号から画像を再生する画像再生回路と、
再生した画像を表示する画像表示部と、
上記アンテナと前記画像表示部を保持する筐体と、
上記画像表示部に表示される画像の向きを変化させる手段を有し、
上記アンテナは地表面との位置関係と受信感度の間に相関性を有し、
上記画像の向きの変化にともなって、画像が正立になるように上記筐体の姿勢を変化させた際に、上記アンテナの感度が最低になるような位置関係とらないように、上記アンテナが上記筐体に保持されている無線携帯端末。
【請求項１２】
電波を受信するアンテナと、
該アンテナから得た信号から画像を再生する画像再生回路と、
再生した画像を表示する矩形のモニタ画面と、
上記アンテナと前記モニタ画面を保持する筐体と、
上記モニタ画面に表示される画像の向きを第１のモードと第２のモードで切り替える手段、
を有し、
上記モニタ画面を該画面に平行な面内で３６０度回転させた場合、上記アンテナの受信感度が回転角度に依存して最大感度と最小感度を現出させる無線携帯端末であって、
上記第１のモードで画像が正立する状態から、上記第２のモードで画像が正立する状態へと、上記筐体を回転させた際に、上記アンテナの最小感度が現出しないような配置で、上記アンテナが上記筐体に配置されていることを特徴とする無線携帯端末。
【発明の詳細な説明】
【技術分野】
【０００１】
本発明は、移動体での通信や放送受信などを行うのに好適な無線携帯端末装置に関し、特に電波を受信するためのアンテナと、該電波により伝送された画像を表示する機能が付いた無線携帯端末装置に関する。
【背景技術】
【０００２】
最近の携帯電話端末や携帯型のテレビ受像機では、電波により伝送された画像(静止画像や動画像)を表示する機能を持っている。電波を受信するためのアンテナとして、ロッド型アンテナやイヤホンコードをアンテナとして使用する場合もあるが、近年では端末装置の内部に実装するタイプのチップアンテナがよく用いられる。
【０００３】
一般に、チップアンテナには指向性があり、電波の到来方向に応じて受信感度が異なる。一例として、以下、図2に示す特性を持ったアンテナを想定する。すなわち、図2(a)に示すようにアンテナ(201)の形状を3次元のx軸、y軸、z軸で表すと、同図(b)に示すように、x-y平面上では電波の到来方向に対して感度(202)がほぼ一定だが、x-z平面(あるいはy-z平面)ではz軸方向の感度(203)が低く、x軸(あるいはy軸)方向の感度(203)が高くなると仮定する。また、電波の偏波面に対するアンテナ角度によっても受信感度が異なるのが一般的であり、同図(d)のようにアンテナのz軸(最低感度方向)が偏波面に対して直交するように設置した場合に最も感度が高く、同図(e)のようにアンテナのz軸(最低感度方向)が偏波面に対して平行となるように設置した場合に最も感度が低くなると仮定する。この偏波面の不整合による感度の違いも含めて、以下、アンテナの指向性、あるいはアンテナの感度方向、あるいは電波の到来方向、と呼ぶことにする。ここで挙げたx軸、y軸、z軸の方向については個々のアンテナの特性に依存するが、一般的にアンテナには指向性があると考えてよい。
【０００４】
このような電波の到来方向とアンテナ角度の関係に由来する感度低下を防ぐために、特許文献１に記載されているようにアンテナ素子を2つ用いて互いに略直交するように設置する技術(以下、第1の従来技術)や、特許文献２に記載されているようにアンテナ素子を特殊な形状にする技術(以下、第2の従来技術)や、特許文献３に記載されているようにアンテナを可動にして常に最良の方向にアンテナ位置を調整する技術(以下、第3の従来技術)などが考案されている。
また、機器の生産性を向上するためにアンテナ特性を改善する技術として、特許文献４に記載されているように実装基板に対してチップアンテナを傾斜して設置する技術(以下、第4の従来技術)が考案されている。
【０００５】
【特許文献１】特開2002-16433号公報
【０００６】
【特許文献２】特開2001-156532号公報
【特許文献３】特開2002-368643号公報
【特許文献４】特開2003-124721号公報
【発明の開示】
【発明が解決しようとする課題】
【０００７】
一般にテレビ画像は横長画面であるが、携帯電話端末の画像表示部(ディスプレイ)は縦長形態に設置されることが多い。この場合、例えば縦長の画像表示部の一部に横長画像を表示したり、携帯電話端末をユーザが90度回転して保持して画像表示部も横長形態にしたのちに横長画像を表示したりすることがある。このように、画像の表示形態に合わせ、端末を保持する角度をユーザが適宜変えて使用するのが一般的になりつつある。この場合、電波の到来方向とアンテナの角度も変わることになるため、上記のような電波の到来方向とアンテナ角度の関係に由来する感度低下を防ぐことが課題である。
【０００８】
この感度低下を防ぐために、上記第1乃至第3の従来技術のように、アンテナ素子を複数用いたり、アンテナ素子を特殊な形状にしたり、アンテナを可動な構成にしたりする技術を採用した場合には、端末装置のコストアップが生じて経済的ではないという問題があった。
また、上記第4の従来技術では、画像を表示する際にユーザが端末を保持する状態と電波の到来方向の関係に言及されておらず、ユーザが該端末を使用する際の受信感度低下を改善する技術について開示も示唆もされていない。
【０００９】
本発明は、電波により伝送された画像を表示する機能が付いた端末において、表示画像が正立するようにユーザが端末を保持する角度を適宜変えて使用する場合に、従来のアンテナ素子を単独で用い、端末装置に固定して設置しても極端な感度低下が生じない無線携帯端末を提供する。
【課題を解決するための手段】
【００１０】
上記課題を解決するために本願で開示する構成の代表的なものは以下の通りである。
画像表示機能付き無線携帯端末において、電波を受信するアンテナと、該アンテナから得た高周波信号から画像信号を再生する画像再生手段と、該画像信号を表示する画像表示手段と、前記アンテナと前記画像表示手段を直接的あるいは間接的に固定して設置する筐体を備え、表示された画像が正立するように前記筐体を保持した状態で、前記電波が通常到来すると想定される方向(以下、電波の到来方向)と前記アンテナの最低感度方向が平行にならない角度でアンテナを筐体に設置する。
【００１１】
前記画像表示手段に再生画像を表示する際の角度を変更する表示角度変更手段を備え、第1の表示角度で表示された画像が正立するように前記筐体を保持した状態(以下、第1の状態)と、第2の表示角度で表示された画像が正立するように前記筐体を保持した状態(以下、第2の状態)の両方で、前記電波の到来方向と前記アンテナの最低感度方向が平行にならない角度でアンテナを筐体に設置する。
前記画像表示手段が矩形であり、前記第1の表示角度とは前記画像表示手段の短辺が水平かつ長辺が鉛直になったときに画像が正立するように表示した角度であり、前記第2の表示角度とは前記画像表示手段の短辺が鉛直かつ長辺が水平になったときに画像が正立するように表示した角度であるようにする。
【００１２】
前記第1の状態と前記第2の状態の間を最短で遷移する過渡的状態において、前記電波の到来方向と前記アンテナの最低感度方向が平行にならない角度でアンテナを筐体に設置する。
前記電波の到来方向とは、略水平方向であるとする。
前記筐体は、第1のパネルと、第2のパネルと、前記各パネルを可動的に接合する接合手段を有し、第1の画像表示手段を前記第1のパネルの表面に設置し、第2の画像表示手段を前記第1のパネルの裏面に設置し、前記アンテナを前記第2のパネルに設置する。
前記筐体は、第1のパネルと、第2のパネルと、前記各パネルを可動的に接合する接合手段を有し、第1の前記画像表示手段を前記第1のパネルの表面に設置し、第2の前記画像表示手段を前記第1のパネルの裏面に設置し、前記アンテナを前記第1のパネルに設置する。
【００１３】
前記第1の画像表示手段に画像を表示する第3の表示角度と、前記第2の画像表示手段に画像を表示する第4の表示角度は、互いに倒立(上下逆)の関係であるようにする。
前記第1の画像表示手段に画像を表示する第3の表示角度と、前記第2の画像表示手段に画像を表示する第4の表示角度は、互いに正立(上下が同じ)の関係であるようにする。
前記アンテナの最低感度方向が筐体の外形の輪郭線と略平行となるように設置し、前記画像表示部の輪郭線が筐体の外形の輪郭線と斜めの関係になるように設置する。
【００１４】
本発明の他の観点では、電波を受信するアンテナと、アンテナから得た信号から画像を再生する画像再生回路と、再生した画像を表示する画像表示部と、アンテナと画像表示部を保持する筐体と、画像表示部に表示される画像の向きを変化させる手段を有し、アンテナは地表面（すなわち端末操作者が立っている地面であり、近似的には平面と解釈できる）との位置関係と受信感度の間に相関性を有し、画像の向きの変化にともなって、画像が正立になるように筐体の姿勢を変化させた際に、アンテナの感度が最低になるような位置関係とらないように、アンテナが筐体に保持されていることを特徴とする。
【００１５】
また、他の観点では、電波を受信するアンテナと、アンテナから得た信号から画像を再生する画像再生回路と、再生した画像を表示する矩形のモニタ画面と、アンテナとモニタ画面を保持する筐体と、モニタ画面に表示される画像の向きを第１のモードと第２のモードで切り替える手段を有し、モニタ画面を画面に平行な面内で３６０度回転させた場合、アンテナの受信感度が回転角度に依存して最大感度と最小感度を現出させる無線携帯端末であって、第１のモードで画像が正立する状態から、第２のモードで画像が正立する状態へと、筐体を画面に平行な面内で回転させた際に、アンテナの最小感度が現出しないような配置で、アンテナが筐体に配置されていることを特徴とする。この観点においては、通常は、第１のモードでも第２のモードでも最大感度では受信できず、第１のモードで画面を鑑賞する姿勢から第２のモードで画面を鑑賞する姿勢へと、筐体を回転させる途中で最大感度を得ることになる。しかし、一方、筐体の回転中には最低感度が現れないので、姿勢変更中（画面切り替え中）に受信がとぎれる畏れがない。
【発明の効果】
【００１６】
本発明により、電波により伝送された画像を表示する機能が付いた端末において、表示画像が正立するようにユーザが端末を保持する角度を適宜変えて使用する場合に、従来のアンテナ素子を単独で用い、端末装置に固定して設置しても極端な感度低下が生じない無線携帯端末を実現できる。
【発明を実施するための最良の形態】
【００１７】
本発明による画像表示機能付き無線携帯端末では、表示画像が正立するようにユーザが端末を保持する角度を適宜変えて使用する場合に、端末の画像表示部を縦にした状態(以下、第1の状態)、画像表示部を横にした状態(以下、第2の状態)、および、第1の状態と第2の状態の間の過渡的な状態において、アンテナの最低感度方向が電波の到来方向と平行にならないように、アンテナを端末に固定して設置する。
以下、本発明の実施例を図示により説明する。
【実施例１】
【００１８】
図１に本発明による無線携帯端末装置の一実施例を示し、その特徴について述べる。
同図において、端末(101)は、アンテナ(103)により電波を受信し、該電波によって伝送された画像信号を再生して画像表示部(102)に表示する。この際、電波の送信源である無線基地局や放送局が地上に設置されている場合には、電波が通常到来すると想定される方向(以下、電波の到来方向)(106)は略水平であると考えてよい。なお、一例として、ここでは水平偏波であると仮定する。
【００１９】
ユーザの動作を想定すると、同図(a)に示すように、画像表示部(102)を縦にした第1の状態で、その一部に画像を横長形態で表示し、空いた部分に文字などの補助情報を表示することが考えられる。また、同図(c)に示すように、画像表示部(102)を横にした第2の状態で、画像表示部(102)の全体に画像を横長形態で表示することも考えられる。両者は、ユーザの好みに合わせて、表示角度変更手段(104)によって切替えて表示できるようにする。このとき、電話番号等を入力するためのキー入力部(105)により、表示角度変更手段(104)の動作を代用してもよい。
【００２０】
まず、同図(a)示す第1の状態では、表示画像が正立するようにユーザが端末(101)を保持したときに、画像表示部の短辺(109)は電波の到来方向(106)と略平行になる。このとき、仮に、アンテナ(103)の最高感度方向(107)を電波の到来方向(106)と平行になるように設置しておけば、最高感度にて信号を受信できるはずである。
一方、同図(c)に示す第2の状態では、表示画像が正立するようにユーザが端末(101)を保持したときに、画像表示部の短辺(109)は、電波の到来方向(106)と略垂直になる。このとき、仮に、前記第1の状態にてアンテナ(103)の最高感度方向(107)を電波の到来方向(106)と平行になるように設置すると、第2の状態ではアンテナ(103)の最低感度方向(108)が電波の到来方向(106)と平行になってしまい、第2の状態では著しく受信感度が低下してしまう問題があった。
【００２１】
この問題を解決するためには、同図(a)に示す第1の状態と、同図(c)に示す第2の状態において、どちらの状態でもアンテナ(103)の最低感度方向(108)と電波の到来方向(106)が平行にならないように、アンテナ(103)を端末(101)に設置すればよい。すなわち、画像表示部の短辺(109)に対してアンテナ(103)の最低感度方向(108)が傾斜するように設置すればよい。なお、アンテナ(103)や画像表示部(102)を端末(101)に固定して設置する際に、端末(101)の筐体に直接設置してもよいし、基板等を介して間接的に設置してもよい。
【００２２】
さらに、ユーザが実際に表示角度変更手段(104)を操作して画像表示部(102)の画像表示角度を変更することを想定すると、同図(a)に示す第1の状態から、同図(b)に示す過渡的な状態を経て、同図(c)に示す第2の状態に至ることが考えられる。この間に電波の到来方向(106)とアンテナ(103)の最低感度方向(108)が平行にならないようにアンテナ(103)を端末(101)に設置すれば、端末(101)の回転動作の途中で感度が著しく低下することがなくなるため、電波受信が途切れなくなる。特にMPEG(Moving Picture Experts Group)方式などで画像フレーム間の高能率符号化技術を用いて伝送された動画像を再生する際には、一旦電波受信が途切れてパケットロスが生じると、次の基準画像(イントラフレーム)が伝送されるまで再生動作を中断せざるを得ない場合があったが、前述のようにアンテナを設置すれば、動画像の再生動作が途切れなくなるため、ユーザにとって使い勝手が大きく改善される。
【００２３】
図3を用いて、この動作をさらに詳しく説明する。同図において、電波の到来方向(301)を水平と仮定する。前述のように、第1の状態における画像表示部の短辺の方向(302)を水平、第2の状態における画像表示部の短辺の方向(303)を鉛直、とすると、ユーザが再生画像の表示形態を縦横に変更する場合の過渡的な状態における画像表示部の短辺の方向の範囲(304)は、同図に示すように0度から90度の範囲となる。ここで、画像表示部の短辺の方向とアンテナの最低感度方向のなす角(308)を、同図に示すように、0度より大きく90度より小さい範囲、すなわち45度に近い角度(斜め)に設定すると、過渡的な状態におけるアンテナの最低感度方向の範囲(306)は、第1の状態におけるアンテナの最低感度方向(305)と第2の状態におけるアンテナの最低感度方向(307)の間になり、電波の到来方向(301)と平行になることがないため、表示画像が正立するようにユーザが端末を回転させた場合でも著しい感度低下を生じない。なお、このとき、第1の状態と第2の状態のどちらの場合も、アンテナの最高感度方向が電波の到来方向と平行にならないため多少の感度劣化を生じるが、図2(c)に示すように、最低感度方向が電波の到来方向と平行にならない限り受信感度がまったく無くなるわけではないため、大きな問題は生じない。
【００２４】
図4を用いて、図1に示した端末(101)の内部構成の一例を説明する。同図において、アンテナ(401)は電波の送受信に用いられる。まず受信動作時には、アンテナ(401)から得た高周波信号(RF)をRF復調回路(402)にてベースバンド信号に復調したのち、誤り訂正処理や画像信号と音声信号の分離処理などを行う信号処理回路(404)を経由して、画像コーデック(405)と音声コーデック(406)で画像信号と音声信号にそれぞれ復号化し、画像信号は後述する画像処理部(407)を介して画像表示部(408)にて表示し、音声信号はスピーカ(410)から出力する。一方、送信動作時には、カメラ(409)から得た画像信号とマイク(411)から得た音声信号を、画像コーデック(405)および音声コーデック(406)にてそれぞれ符号化したのち、信号処理回路(404)にて多重処理や誤り訂正符号の付加などを行い、RF変調回路(403)にて高周波信号(RF)に変換して、アンテナ(401)から発信する。個々の回路や処理部は、ユーザインタフェース(I/F)(413)とCPU(Central Processing Unit)(414)とメモリ(415)から成る制御部(412)によって統合的に制御される。前記画像処理部(407)では、図1に示すような、画像の回転や拡大・縮小処理を行う。
【００２５】
また、ユーザI/F(413)は、図1に示す表示角度変更手段(104)やキー入力部(105)を含み、ユーザからの指示に応じて、画像表示部(408)に表示する画像の表示角度や大きさを変更するように、前記画像処理部(407)を制御する。なお、図4に示す個々の部位は、一般的な画像表示機能を有する携帯電話端末の各部位と同じであり、従来技術を用いて容易に実現するため、詳細な図示は省略する。また、テレビ放送などの受信端末の場合には、図4に示すRF変調回路(403)、カメラ(409)、マイク(411)を省略してもよく、画像コーデック(405)および音声コーデック(406)はそれぞれ符号化の機能は不要であり、復号化の機能だけを有すればよいことは明らかである。
【実施例２】
【００２６】
図5に本発明による無線携帯端末装置の第2の実施例を示し、その特徴について述べる。
近年の携帯電話端末は、同図に示す端末(501)のように、ヒンジ(510)を中心に上側パネル(511)と下側パネル(512)を折りたたむ形状が一般的である。同図では、上側パネル(511)の内側にメイン画像表示部(502)が設置され、下側パネル(512)の内部にアンテナ(503)が設置され、上側パネル(511)の外側にサブ画像表示部(513)が設置された場合を示している。その他の、表示角度変更手段(504)やキー入力部(505)については、図1に示した表示角度変更手段(104)やキー入力部(105)と同一の動作であり、特に設置場所には関係ないため、説明は省略する。
【００２７】
図5(a)および(b)において、図1と同様に電波の到来方向(506)を略水平と仮定すると、アンテナ(503)は、前記図3にて説明したような角度で設置すればよい。すなわち、メイン画像表示部の短辺(509)とアンテナの最低感度方向(508)のなす角を45度に近い角度(斜め)にして、同図(a)に示す第1の状態と同図(b)に示す第2の状態の間の、過渡的な状態における画像表示部の短辺の方向の範囲内で、アンテナの最低感度方向(508)が電波の到来方向(506)と平行にならないように設置すればよい。
一方、図5(c)および(d)に、端末(501)を折りたたんだ状態でサブ画像表示部(513)に画像を表示する際の動作を示す。このとき、アンテナ(503)が下側パネル(512)の内部に設置されており、電波の到来方向(506)とアンテナ(503)の角度の関係は、同図(a)および(b)のときと変わらないため、動作の説明は省略する。
【００２８】
なお、図5(a)に示すメイン画像表示部(502)の表示角度と、同図(c)に示すサブ画像表示部(513)の表示角度は、上側パネル(511)を基準に考えると、互いに倒立(上下逆)の関係にあることが同図よりわかる。
また、図5(b)に示すメイン画像表示部(502)の表示角度と、同図(c)に示すサブ画像表示部(513)の表示角度は、上側パネル(511)を基準に考えると、互いに正立(上下が同じ)の関係にあることが同図よりわかる。
【実施例３】
【００２９】
図6に本発明による無線携帯端末装置の第3の実施例を示し、その特徴について述べる。
同図に示す端末(601)では、前記図5に示す端末(501)と異なり、アンテナ(603)が下側パネル(612)ではなく、上側パネル(611)の内部に設置されている。その他については、図1および図5に示したものと同様であるため、動作の説明は省略する。
図6(a)および(b)において、図1と同様に電波の到来方向(606)を略水平と仮定すると、アンテナ(603)は、前記図5(a)および(b)にて説明したのと同様の角度に設置すればよいため、説明を省略する。
【００３０】
一方、図6(c)に示すように、端末(601)を折りたたんだ状態でサブ画像表示部(613)に画像を表示する際には、アンテナ(603)の角度が同図(a)と上下対象になることがわかる。この第1の状態から、第2の状態に端末の保持角度を変更する際に、図1および図5に示すように反時計回りに端末を90度回転してしまうと、アンテナの最低感度方向(608)が電波の到来方向(606)と平行になる状態が生じてしまう。
そこで、図6(d)に示すように、第1の状態から第2の状態に端末の保持角度を変更する際には、時計回りに端末を90度すれば、アンテナの最低感度方向(608)が電波の到来方向(608)と平行にならないようにできる。すなわち、上側パネル(611)の裏表の画像表示を観察すると、端末(601)の保持角度に関わらず、メイン画像表示部(602)とサブ画像表示部(613)で画像が180度回転するように表示すれば、表示画像が正立するようにユーザが端末(601)を保持したときに、自然に好ましいアンテナ角度にすることができる。
【００３１】
なお、図6(a)に示すメイン画像表示部(602)の表示角度と、同図(c)に示すサブ画像表示部(613)の表示角度は、上側パネル(611)を基準に考えると、互いに倒立(上下逆)の関係にあることが同図よりわかる。
また、図6(b)に示すメイン画像表示部(602)の表示角度と、同図(c)に示すサブ画像表示部(613)の表示角度は、上側パネル(611)を基準に考えると、互いに倒立(上下逆)の関係にあることが同図よりわかる。
【実施例４】
【００３２】
図7に本発明による無線携帯端末装置の第4の実施例を示し、その特徴について述べる。
同図に示す端末(701)では、画像表示部(702)を端末の筐体に対して斜めに設置することにより、アンテナ(703)の最低感度方向(708)が端末の筐体の側面と略平行になるように設置した。これにより、端末の筐体内におけるアンテナ(703)の設置に必要な面積を小さくすることが可能となる。
同図(a)は、画像表示部(702)が縦になる第1の状態で、アンテナ(703)の最低感度方向(708)が電波の到来方向(706)に対して斜めになることを示している。これは、端末(702)をユーザの左手で保持することを想定している。
【００３３】
一方、同図(b)は、端末(701)を反時計回りに90度回転させ、画像表示部(702)が横になる第2の状態にしたときを示している。これは、端末(701)をユーザの右手に持ち替えて保持することを想定している。
このように、画像表示部(702)を端末の筐体に対して斜めに設置することにより、アンテナ(703)の設置に必要な面積を小さく保ったまま、アンテナ(703)の最低感度方向(708)と電波の到来方向(706)が平行にならないように、アンテナ(703)を端末の筐体内に設置できるようになる。
画像表示部(702)の短辺(709)の方向と、アンテナ(703)の最低感度方向(708)と電波の到来方向(706)の関係については、図3に示した関係と同一となるため、動作の説明は省略する。
【実施例５】
【００３４】
図8に本発明による無線携帯端末装置の第5の実施例を示し、その特徴について述べる。
同図に示す端末(801)は、図7に示す端末(701)と同様に、端末の筐体内におけるアンテナ(803)の設置に必要な面積が小さくなるように、画像表示部を端末の筐体に対して斜めに設置しているが、図7に示す端末(701)とは画像表示部の設置角度が90度異なる。すなわち、同図(a)は画像表示部(802)が横になる第2の状態を示し、同図(b)は画像表示部(802)が縦になる第1の状態を示す。この場合にも、画像表示部(802)の短辺(809)の方向と、アンテナ(803)の最低感度方向(808)、電波の到来方向(806)の関係は、図3にて示した関係と同一となるため、動作の説明は省略する。
【００３５】
上記のような技術により、電波により伝送された画像を表示する機能が付いた端末において、表示画像が正立するようにユーザが端末を保持する角度を適宜変えて使用する場合に、従来のアンテナ素子を単独で用い、端末装置に固定して設置しても極端な感度低下が生じない無線携帯端末を実現できる。
なお、前記実施例では一般的なチップアンテナを端末内部に設置する場合を例に挙げて説明したが、ホイップアンテナ等の他の形状のアンテナを端末の外側に固定して設置する場合でも同様の効果が得られる。また、電波の送信源である無線基地局や放送局が地上に設置されている場合を想定し、電波の到来方向が略水平である場合を例に挙げて説明したが、人工衛星等を用いた通信や放送等のように、電波の到来方向が略水平でない場合にも同様の効果が得られる。例えば、準天頂衛星の場合には電波の到来方向は略鉛直であり、静止衛星の場合には一定の仰角方向から電波が到来する。また、電波の偏波面が水平偏波であることを例に挙げて説明したが、垂直偏波や円偏波の場合にも同様の効果が得られることは明らかである。また、アンテナの受信動作を例に挙げて説明したが、送信動作の場合にも同様の効果が得られることは明らかである。
【図面の簡単な説明】
【００３６】
【図１】本発明の一実施例の説明図である。
【図２】一般的なアンテナの動作を説明した図である
【図３】本発明の一実施例の動作を説明した図である。
【図４】本発明の一実施例の構成を説明した図である。
【図５】本発明の第２の実施例の説明図である。
【図６】本発明の第３の実施例の説明図である。
【図７】本発明の第４の実施例の説明図である。
【図８】本発明の第５の実施例の説明図である。
【符号の説明】
【００３７】
101,501,601,701,801…端末；102,408,502,513,602,613,702,802…画像表示部；103,201,205,206,401, 503,603,703,803…アンテナ；104,504,604,704,804…表示角度変更手段；105,505,605,705,805…キー入力部；106,204,301,506,606,706,806…電波の到来方向；107,507,607,707,807…最高感度方向；108,305,307,508,608,708,808…最低感度方向；109,509,514,609,614,709,809…画像表示部の短辺；202,203…感度；302,303…画像表示部の短辺の方向；304…画像表示部の短辺の方向の範囲；306…最低感度方向の範囲；308…画像表示部の短辺の方向とアンテナの最低感度方向のなす角；402…RF復調回路；403…RF変調回路；404…信号処理回路；405…画像コーデック；406…音声コーデック；407…画像処理部；409…カメラ；410…スピーカ；411…マイク；412…制御部；413…ユーザインタフェース；414…CPU；415…メモリ；510,610…ヒンジ；511,611…上側パネル；512,612…下側パネル。
【図１】
2005286965.tif 000003
【図２】
2005286965.tif 000004
【図３】
2005286965.tif 000005
【図４】
2005286965.tif 000006
【図５】
2005286965.tif 000007
【図６】
2005286965.tif 000008
【図７】
2005286965.tif 000009
【図８】
2005286965.tif 000010